(57)【特許請求の範囲】
【請求項１】
開閉体に取り付けられるケース体と、当該ケース体外からの操作により当該ケース体内を摺動するスライダと、当該スライダに連結され当該スライダの施錠側への移動によりケース体から突出して固定枠と係止する鎌部材とを具備する錠装置であり、
前記ケース体に、
前記スライダを前記鎌部材の出没方向に直線的に案内するスライダ案内部と、前記鎌部材を前記ケース体から出没させる方向及び前記固定枠と係脱させる方向に案内する鎌部材案内部とが形成され、
前記鎌部材案内部は、
前記ケース体の前端側に水平に延びる水平案内部と、当該水平案内部の前端から更に前記ケース体の前端側に斜め上方に延びる傾斜案内部と、当該傾斜案内部の上端から前記ケース体の前端側に膨出した形状の鎌部材承部とからなり、
前記鎌部材の重心部と後端部にはそれぞれ係脱用ガイドピンと摺動用ガイドピンが挿着され、前記鎌部材が当該摺動用ガイドピンを中心にして上下方向に揺動可能に前記スライダに連結されており、
前記鎌部材の施錠側への移動に伴い、前記係脱用ガイドピンが、前記傾斜案内部を経て前記鎌部材承部に入り、前記鎌部材が前記係脱用ガイドピンと前記摺動用ガイドピンとにより支えられて水平姿勢に保持された状態になるように構成したことを特徴とする錠装置。
【請求項２】
前記スライダと摺接してこれを施錠位置又は解錠位置に弾性的に保持する弾性部材を備えたことを特徴とする請求項１記載の錠装置。
【発明の詳細な説明】
【技術分野】
【０００１】
本発明は、引戸や折戸など開閉体に取り付けられる錠装置に関する。
【背景技術】
【０００２】
従来の錠装置として図７に示す引戸用錠が知られている。この錠装置４００は、引戸２００の端部に埋設されたケース体４０１の両側板部の相対向する内側面に、鎌部材４０２を前後（図示左右）に摺動可能に案内するガイド用長溝部４０３を有している。ガイド用長溝部４０３は、ケース体４０１の前後方向（図示左右方向）に延びており、その前側（図示左側）部分は上方へ湾曲した湾曲状部４０３ａになっており、湾曲状部４０３ａよりも後側（図示右側）の部分は水平に延びる直線状部４０３ｂになっている。鎌部材４０２は、ガイド用長溝部４０３に案内される直線状の胴部４０２ａと、この胴部４０２ａの前端から上方に略直角に湾曲して延出された鎌部４０２ｂとからなる。鎌部材４０２の重心部にはガイド用ピン４０４が後端部には連結用ピン４０５がそれぞれ挿着固定されており、両ピン４０４、４０５の端部が両ガイド用長溝部４０３に摺動可能に収容されている。ケース体４０１には、解施錠操作を行うための操作軸４０６が軸支されており、この操作軸４０６と共に回動するハブ４０７の先端に形成された二股部４０７ａに連結用ピン４０５が収容されるようにして互いに摺動可能に連結されている。
【０００３】
この錠装置４００において操作軸４０６を施錠方向に回動操作すると、操作軸４０６と共にハブ４０７が回動し、ハブ４０７と連結された鎌部材４０２が前方（図示左側）へ押され、鎌部材４０２のガイド用ピン４０４がガイド用長溝部４０３の湾曲状部４０３ａのガイド面（下面）に沿って上方へ案内される。その結果、鎌部材４０２の鎌部４０２ｂがケース体４０１の前面の孔４０８から突出しつつ押し上げられ、戸枠３００に設けられた掛止部材３２０に係合することにより、施錠がなされる（特許文献１）。
【特許文献１】特開２０００−１７０４２１号公報
【発明の開示】
【発明が解決しようとする課題】
【０００４】
しかし、上述した従来の錠装置は、引戸２００と戸枠３００との間にマイナスドライバなどの細い器具を差し込んで鎌部材４０２を押し下げれば、掛止部材３２０に対する鎌部４０２ｂの係止状態を解除することができる。すなわち、施錠されていても、鎌部材４０２を何らかの方法で直接押し下げれば、鎌部材４０２のガイド用ピン４０４がガイド用長溝部４０３の湾曲状部４０３ａのガイド面に沿って解錠方向へ案内され、鎌部４０２ｂが掛止部材３２０から外れるため、容易に不正解錠されてしまうおそれがある。
【０００５】
本発明は、上記のような事情に鑑み創案されたものであり、その目的は、不正解錠をすることが困難な錠装置を提供することにある。
【課題を解決するための手段】
【０００６】
上記目的を達成するために、本発明の錠装置は、開閉体に取り付けられるケース体と、当該ケース体外からの操作により当該ケース体内を摺動するスライダと、当該スライダに連結され当該スライダの施錠側への移動によりケース体から突出して固定枠と係止する鎌部材とを具備する錠装置であり、
前記ケース体に、
前記スライダを前記鎌部材の出没方向に直線的に案内するスライダ案内部と、前記鎌部材を前記ケース体から出没させる方向及び前記固定枠と係脱させる方向に案内する鎌部材案内部とを形成し、
前記固定枠と係止した状態の前記鎌部材に対してこれを前記鎌部材案内部に沿って解錠側に移動させる向きに前記ケース体外から直接力が作用したときに、その力が前記スライダに対してこれを前記スライダ案内部に沿って解錠側に移動させる向きに伝達されないように構成したことを特徴とする。
【０００７】
上記構成によれば、開閉体と固定枠との間にマイナスドライバなどの器具を差し込むなどして、鎌部材に直接力を作用させて、鎌部材を鎌部材案内部に沿って解錠側に移動させようとしても、その力がスライダに対してはこれをスライダ案内部に沿って解錠側に移動させる向きには伝達されないので、固定枠に対する鎌部材の係止状態を解除することはできない。
【０００８】
本発明の錠装置において、前記スライダと摺接してこれを施錠位置又は解錠位置に弾性的に保持する弾性部材を備えていることが望ましい。
【０００９】
上記構成によれば、錠装置を施錠状態又は解錠状態に保持することができる。状態保持のために、スライダと摺接してこれを施錠位置又は解錠位置に弾性的に保持する弾性部材を使用することで、カムなどの周辺に保持機構を設ける場合と比較して省スペース化が可能である。
【発明の効果】
【００１０】
本発明の錠装置によれば、不正な解錠を防止することができる。
【発明を実施するための最良の形態】
【００１１】
以下、本発明を実施するための最良の形態について説明する。
［第１の実施形態］
図１は本発明の錠装置の第１の実施形態の錠装置を備えた引戸装置の要部を示す分解斜視図である。図２は第１の実施形態の錠装置の分解斜視図である。図３は第１の実施形態の錠装置が解錠された状態を示す断面図である。図４は第１の実施形態の錠装置が施錠された状態を示す断面図である。
【００１２】
図１に示すように、錠装置１００は、引戸（開閉体）２００の閉止側端面すなわち引戸２００を閉めたときに戸枠（固定枠）３００と当接する側の端面２０１に開口した取付孔２０２にケース体１０１が挿入されて引戸２００の端部に埋設された状態で取り付けられている。ケース体１０１の前端部には、フランジ状の縦長の端板部１０２が形成されており、この端板部１０２は、引戸２００の端面２０１の取付孔２０２の開口部の周囲に形成された凹部２０３に嵌合している。端板部１０２の中央部には、鎌部材１４０の鎌部１４１が出入りする縦長のスリット１０３が形成されている。
【００１３】
戸枠３００には、引戸２００側の取付孔２０２と対向する位置に鎌部１４１を受け入れる穴３０１が形成され、端板部１０２と対向する位置に受座金３１０が固定されている。穴３０１は受座金３１０により閉塞されている。この受座金３１０の中央部には、鎌部１４１を受け入れる縦長のスリット３１１が形成されており、施錠時には、ケース体１０１の端板部１０２から突出した鎌部１４１の先端部が受座金３１０のスリット３１１の上縁部に引っ掛った状態で係止するようになっている。
【００１４】
引戸２００の室内側の側壁板には、サムターン（施錠、解錠の操作をするための回動つまみ）２５０を取り付けるためのサムターン取付孔２０４が形成されている。サムターン取付孔２０４には、サムターン２５０を回動可能に収容する丸皿状の蓋体２６０が嵌め付けられている。蓋体２６０の中央部には操作軸挿通孔２６１が形成されている。操作軸挿通孔２６１には、サムターン２５０に加えられる回動力を錠装置１００に伝える板片形状の操作軸２６５が挿通されている。
【００１５】
図２に示すように、錠装置１００は、引戸２００に取り付けられるケース体１０１と、ケース体１０１の外部からの操作によりケース体１０１内を摺動するスライダ１２０と、スライダ１２０に連結されそのスライダ１２０の施錠側（矢印Ａの向き）への移動によりケース体１０１から突出して戸枠３００と係止する鎌部材１４０と、スライダ１２０を施錠側及び解錠側（矢印Ｂの向き）に摺動させるための回動部材１５０と、スライダ１２０と摺接してこれを施錠位置（図４参照）又は解錠位置（図３参照）に弾性的に保持する弾性部材１６０とを備えている。
【００１６】
ケース体１０１は、互いに略対称構造に形成された左右一対の亜鉛ダイカスト製のケース部材１０１Ａ、１０１Ｂからなる。端板部１０２は一方のケース部材１０１Ａに一体形成されている。そして、ケース体１０１は、両部材１０１Ａ、１０１Ｂ同士を互いの嵌合部同士を嵌め合わせて結合させることにより組み立てられる。
【００１７】
より詳細には、一方のケース部材（以下、第１ケース部材と記す。）１０１Ａの端板部１０２には、鎌部１４１が出入りするスリット１０３の脇にこれと並行に嵌合用スリット１０４が形成され、他方のケース部材（以下、第２ケース部材と記す。）１０１Ｂの先端部には、嵌合用スリット１０４に嵌合する爪部１０５が形成されている。また、第１ケース部材１０１Ａの奥側端部には第２ケース部材１０１Ｂ側に突出させて円柱状の突起１０６が上下二箇所に形成されており、第２ケース部材１０１Ｂの奥側端部には第１ケース部材１０１Ａの二つの突起１０６と同時に嵌合する一対の嵌合穴１０７が形成されている。そして、ケース体１０１は、第２ケース部材１０１Ｂの爪部１０５を第１ケース部材１０１Ａの嵌合用スリット１０４に挿入して嵌合させつつ、第１ケース部材１０１Ａの上下の突起１０６と第２ケース部材１０１Ｂの上下の嵌合穴１０７とを互いに嵌め合わせることにより、両部材１０１Ａ、１０１Ｂ同士が結合されて組み立てられる。
【００１８】
ケース体１０１の内部には、スライダ１２０を鎌部材１４０の出没方向（矢印Ａ及び矢印Ｂの向き）に直線的に案内する左右一対のスライダ案内溝（スライダ案内部）１１１Ａ、１１１Ｂと、鎌部材１４０をケース体１０１から出没させる方向（矢印Ａ及び矢印Ｂの向き）及び戸枠３００の受座金３１０と係脱させる方向（上下方向）に案内する左右一対の鎌部材案内溝（鎌部材案内部）１１２Ａ、１１２Ｂとが形成されている。一方のスライダ案内溝１１１Ａは第１ケース部材１０１Ａの側壁の下端内面部に形成され、他方のスライダ案内溝１１１Ｂは第２ケース部材１０１Ｂの側壁の下端内面部に形成されている。両スライダ案内溝１１１Ａ、１１１Ｂは相対向して対称に形成されている。また、一方の鎌部材案内溝１１２Ａは第１ケース部材１０１Ａの側壁の先端近傍内面部に形成され、他方の鎌部材案内溝１１２Ｂは第２ケース部材１０１Ｂの側壁の先端近傍内面部に形成されている。両鎌部材案内溝１１２Ａ、１１２Ｂは相対向して対称に形成されている。
【００１９】
鎌部材案内溝１１２Ａ、１１２Ｂは、スライダ案内溝１１１Ａ、１１１Ｂの前端上方近傍からケース体１０１の前端近くまで延びている。鎌部材案内溝１１２Ａ、１１２Ｂは、それぞれ、スライダ案内溝１１１Ａ、１１１Ｂの前端上方近傍からケース体１０１の前端側に水平に延びる水平案内部１１２ａと、水平案内部１１２ａの前端から更にケース体１０１の前端側に約４５度の傾斜角度で斜め上方に延びる傾斜案内部１１２ｂと、傾斜案内部１１２ｂの上端からケース体１０１の前端側に若干膨出した形状の鎌部材承部１１２ｃとからなる。
【００２０】
両ケース部材１０１Ａ、１０１Ｂの側壁には、回動部材１５０の両端を嵌入させてこれを回動可能に支持する回動部材保持孔１１５Ａ、１１５Ｂが側壁を貫通させて形成されている。両ケース部材１０１Ａ、１０１Ｂの天井部には、弾性部材１６０の上面部を嵌合させてこれをケース体１０１に固定して保持するための逆台形状の嵌合溝１１６Ａ、１１６Ｂが前後方向二箇所に形成されている。
【００２１】
スライダ１２０は、その摺動方向に延びる矩形平板状のベース部１２１と、ベース部１２１の前端部左右両側より直上に起立した一対の起立壁１２２ａ、１２２ｂからなるブラケット部１２２と、ベース部１２１の上面に形成されたラック部１２３とからなる。ベース部１２１の下半部両側は若干張り出しており、その左右の張り出した部分１２６がケース体１０１の左右のスライダ案内溝１１１Ａ、１１１Ｂにそれぞれ摺動可能に嵌合している。ブラケット部１２２の両起立壁１２２ａ、１２２ｂの上端近傍には互いに向き合う位置に同径の軸孔１２４が形成されている。ブラケット部１２２の両起立壁１２２ａ、１２２ｂの上端面１２５は、弾性部材１６０と滑らかに摺接するように円弧状の滑らかな凸曲面になっている。
【００２２】
鎌部材１４０は、直線状の胴部１４２と、この胴部１４２の前端から上方に略直角に湾曲して延出された鎌部１４１とからなる。鎌部材１４０の重心部と後端部にはそれぞれ挿通孔１４３、１４４が形成されており、重心部の挿通孔１４３には係脱用ガイドピン１４５が後端部の挿通孔１４４には摺動用ガイドピン１４６がそれぞれ軸回転可能に挿着されている。
【００２３】
摺動用ガイドピン１４６の両端部は、スライダ１２０のブラケット部１２２の両起立壁１２２ａ、１２２ｂの軸孔１２４に挿入されている。すなわち、摺動用ガイドピン１４６は、スライダ１２０のブラケット部１２２の両起立壁１２２ａ、１２２ｂ間に水平に掛け渡して設けられており、鎌部材１４０がこの摺動用ガイドピン１４６を中心にして上下方向に揺動可能にスライダ１２０に連結されている。一方、係脱用ガイドピン１４５の両端部は、ケース体１０１内の左右に設けられた鎌部材案内溝１１２Ａ、１１２Ｂに摺動可能に挿入されている。
【００２４】
回動部材１５０の両端中央部には、円形の凸部１５１が形成されている。回動部材１５０はその左右の凸部１５１をケース体１０１の左右の側壁の回動部材保持孔１１５Ａ、１１５Ｂに回動可能に嵌入することにより、ケース体１０１の左右の側壁に両端が支承された状態で回動可能に保持されている。
【００２５】
回動部材１５０の外周の一部の領域（図示の例では外周全体の半分弱の領域）には、スライダ１２０のラック部１２３と噛合するピニオン部１５２が形成されている。回動部材１５０の中心部には、操作軸２６５が挿入されるスリット状の挿入孔１５３が形成されており、この挿入孔１５３に操作軸２６５を挿入し固定することにより、回動部材１５０とサムターン２５０とが操作軸２６５を介して互いに連結されている。すなわち、サムターン２５０を回すことにより、その回動力が操作軸２６５を介して回動部材１５０に伝達され、サムターン２５０と同じ向きに回動部材１５０が回動するようになっている。そして、回動部材１５０の回動に連動して、スライダ１２０が施錠側（矢印Ａの向き）または解錠側（矢印Ｂの向き）に移動する仕組みになっている。
【００２６】
弾性部材１６０は弾力性のある合成樹脂からなり、その上面部の二箇所には断面が逆台形状の左右に延びる突起部１６１が形成され、両突起部１６１を両ケース部材１０１Ａ、１０１Ｂの嵌合溝１１６Ａ、１１６Ｂ内にスライドさせるようにして嵌入することにより、ケース体１０１の天井部に固定して保持されている。
【００２７】
弾性部材１６０の下面部には、円弧状に滑らかに湾曲した凹面部１６２ａ、１６２ｂがスライダ１２０の摺動方向に離間させて形成されている。両凹面部１６２ａ、１６２ｂ間の距離はスライダ１２０の移動可能距離に一致している。すなわち、ブラケット部１２２の両起立壁１２２ａ、１２２ｂの上端面１２５が前端側すなわち端板部１０２寄りの凹面部１６２ａに嵌合することによりスライダ１２０が施錠位置（図４参照）に弾力的に保持され、後端側の凹面部１６２ｂに嵌合することによりスライダ１２０が解錠位置（図３参照）に弾力的に保持されるようになっている。
【００２８】
つぎに、上記のように構成された錠装置１００の動作について説明する。
【００２９】
図３に示すように、錠装置１００が解錠状態のとき、スライダ１２０は解錠位置すなわちケース体１０１内における最も後退した位置にある。このとき、鎌部材１４０はケース体１０１内に完全に収容されている。また、このとき、ブラケット部１２２が弾性部材１６０の後端側の凹面部１６２ｂに嵌合しており、これによりスライダ１２０が解錠位置に弾力的に保持されている。また、係脱用ガイドピン１４５は、鎌部材案内溝１１２Ａ、１１２Ｂにおける最も後退した位置にある。
【００３０】
サムターン２５０を施錠側（この例では右回り）に回すと、回動部材１５０が施錠方向に回動する。回動部材１５０の施錠方向への回動により、スライダ１２０が施錠側（矢印Ａの向き）に移動するため、これと共に鎌部材１４０も施錠側（矢印Ａの向き）に移動する。このとき、スライダ１２０のブラケット部１２２は弾性部材１６０の後端側の凹面部１６２ｂから外れ、弾性部材１６０の下面に摺接しつつ前端側に移動する。
【００３１】
鎌部材１４０の施錠側（矢印Ａの向き）への移動に伴い、係脱用ガイドピン１４５が鎌部材案内溝１１２Ａ、１１２Ｂに案内されて、後端から前端側へ移動する。その際、係脱用ガイドピン１４５は、先ず、鎌部材案内溝１１２Ａ、１１２Ｂの水平案内部１１２ａにより案内されて水平に移動する。係脱用ガイドピン１４５が水平案内部１１２ａ内を移動している間、鎌部材１４０はその鎌部１４１を下げた傾斜姿勢（図３の姿勢）のまま前方に移動する。
【００３２】
係脱用ガイドピン１４５は、鎌部１４１の先端部が端板部１０２のスリット１０３から受座金３１０のスリット３１１に入った時点で傾斜案内部１１２ｂに入る。そして、鎌部材１４０の施錠側への移動に伴い、傾斜案内部１１２ｂにより案内されて斜め上方に移動する。係脱用ガイドピン１４５が前進しつつ斜め上方に移動することにより、鎌部材１４０は、摺動用ガイドピン１４６を支点、係脱用ガイドピン１４５を力点にして、鎌部１４１側を上昇させつつ前方に移動する。鎌部１４１は受座金３１０のスリット３１１を通過して戸枠３００の穴３０１内に突出する。
【００３３】
係脱用ガイドピン１４５が傾斜案内部１１２ｂの前端（上端）に達した時に、鎌部１４１が受座金３１０のスリット３１１の上縁部に係合した状態になる。このとき、係脱用ガイドピン１４５は摺動用ガイドピン１４６と同じ高さ位置にある。
【００３４】
鎌部材１４０の施錠側への移動に伴い、係脱用ガイドピン１４５は、傾斜案内部１１２ｂを経て鎌部材承部１１２ｃに入り、鎌部材案内溝１１２Ａ、１１２Ｂの前端面に当接して停止する。このとき、鎌部材１４０が係脱用ガイドピン１４５と摺動用ガイドピン１４６とにより支えられて水平姿勢に保持された状態になる。また、ブラケット部１２２が弾性部材１６０の前端側の凹面部１６２ａに嵌合し、これによりスライダ１２０が施錠位置に弾力的に保持される。図４はこのときの状態を示している。
【００３５】
図４に示すように、錠装置１００が施錠状態のとき、スライダ１２０は施錠位置すなわちケース体１０１内における最も前進した位置にある。このとき、鎌部材１４０の鎌部１４１は、端板部１０２から戸枠３００の穴３０１内に突出して受座金３１０のスリット３１１の上縁部に係合している。また、係脱用ガイドピン１４５は、鎌部材案内溝１１２Ａ、１１２Ｂの鎌部材承部１１２ｃに支承されている。また、ブラケット部１２２は弾性部材１６０の前端側の凹面部１６２ａに嵌合しており、これによりスライダ１２０が施錠位置に弾力的に保持されている。
【００３６】
サムターン２５０を解錠側（この例では左回り）に回すと、回動部材１５０が解錠側に回動する。回動部材１５０の解錠側への回動により、スライダ１２０が解錠側（矢印Ｂの向き）に移動するため、これと共に鎌部材１４０も解錠側（矢印Ｂの向き）に移動する。このとき、スライダ１２０のブラケット部１２２は弾性部材１６０の前端側の凹面部１６２ａから外れ、弾性部材１６０の下面に摺接しつつ後端側に移動する。
【００３７】
鎌部材１４０の解錠側（矢印Ｂの向き）への移動に伴い、係脱用ガイドピン１４５が鎌部材案内溝１１２Ａ、１１２Ｂに案内されて、前端から後端側へ移動する。その際、係脱用ガイドピン１４５は、先ず、鎌部材案内溝１１２Ａ、１１２Ｂの鎌部材承部１１２ｃから傾斜案内部１１２ｂに入る。そして、鎌部材１４０の解錠側への移動に伴い、傾斜案内部１１２ｂにより案内されて斜め下方に移動する。係脱用ガイドピン１４５が後退しつつ斜め下方に移動することにより、鎌部材１４０は、摺動用ガイドピン１４６を支点、係脱用ガイドピン１４５を力点にして、鎌部１４１側を下降させつつ後方に移動する。鎌部１４１は受座金３１０のスリット３１１を抜け出る。
【００３８】
係脱用ガイドピン１４５は、鎌部１４１が下りきった時点で傾斜案内部１１２ｂに入り、水平案内部１１２ａにより案内されて水平に移動する。係脱用ガイドピン１４５が水平案内部１１２ａ内を移動している間、鎌部材１４０はその鎌部１４１を下げた傾斜姿勢（図３の姿勢）のまま後方に移動する。そして、鎌部材案内溝１１２Ａ、１１２Ｂの後端面に当接して停止する。このとき、鎌部材１４０はケース体１０１内に完全に収容される。また、ブラケット部１２２が弾性部材１６０の後端側の凹面部１６２ｂに嵌合し、スライダ１２０が解錠位置に弾力的に保持される。
【００３９】
上記の構成によれば、錠装置１００が施錠状態の時、引戸２００と戸枠３００との間にマイナスドライバなどの器具を差し込むなどして、鎌部材１４０に直接力を作用させて、鎌部材１４０を鎌部材案内溝１１２Ａ、１１２Ｂに沿って解錠側に移動させようとしても、その力がスライダ１２０に対してこれをスライダ案内部１１１Ａ、１１１Ｂに沿って解錠側に移動させる向きには伝達されない。すなわち、この例の場合、受座金３１０に係合した状態の鎌部材１４０の鎌部１４１側を、マイナスドライバなどの器具で強引に押し下げようとしても、鎌部材１４０の係脱用ガイドピン１４５が鎌部材案内溝１１２Ａ、１１２Ｂの鎌部材承部１１２ｃで支承されているため、鎌部１４１が解錠側（下方）に移動することはなく、その力がスライダ１２０に伝達されることもない。したがって、このような不正な方法では、戸枠３００に対する鎌部材１４０の係止状態を解除することはできない。この錠装置１００を不正解錠することは極めて困難である。
【００４０】
また、錠装置１００は、スライダ１２０と摺接してこれを施錠位置（図４参照）又は解錠位置（図３参照）に弾性的に保持する弾性部材１６０を備えているので、錠装置１００を施錠状態又は解錠状態に保持することができるとともに、解錠または施錠操作を行った使用者に対し、確実に解錠または施錠がなされたという感覚を与えることができる。弾性部材１６０を使用することにより、回動部材１５０などの周辺に保持機構を設ける場合と比較して省スペース化でき、部品点数の削減も図ることができるので、錠装置１００の小型化と製造コストの低減を同時に実現できる。
【００４１】
また、この種の鎌錠においては、何らかの要因で引戸２００が戸枠３００と当接していない状態においてサムターン２５０や後述するスライド操作子１７０が操作され、鎌部材１４０がケース体１０１から突出された場合、その状態で引戸２００が閉められると、鎌部材１４０の鎌部１４１の先端外側面と受座金３１０のスリット３１１の開口縁とが衝突し、鎌部材１４０等の破損が生じるおそれが危惧されるところであるが、上記の構成によればこのような不具合は生じない。すなわち、この実施形態においては、鎌部材１４０と受座金３１０とが衝突したとしても、鎌部材１４０に設けられた係脱用ガイドピン１４５が鎌部材案内溝１１２Ａ、１１２Ｂに案内され、ケース体１０１の前端側から後端側に移動するとともに斜め下方に移動するので、この移動に伴い鎌部材１４０の鎌部１４１も同様に斜め下方に移動し、鎌部材１４０の鎌部１４１の先端外側面と受座金３１０のスリット３１１の開口縁との衝突が解除される。したがって、鎌部材１４０がケース体１０１から突出された状態のまま引戸２００が閉められたとしても、鎌部材１４０の鎌部１４１の先端外側面と受座金３１０のスリット３１１の開口縁との衝突による鎌部材１４０等の破損を回避することができる。
［第２の実施形態］
図５は第２の実施形態の錠装置の分解斜視図である。図１〜図４に示した第１の実施形態と共通の構成要素については図５中に同一符号を付して、その説明を適宜省略する。
【００４２】
図５に示す錠装置１００は、スライダ１２０を施錠側（矢印Ａの向き）及び解錠側（矢印Ｂの向き）に摺動させるための部材としてカム１７０を備えている。カム１７０は、円柱状のカム本体１７１と、カム本体１７１からその半径方向外方に突出したアーム部１７２とからなる。アーム部１７２の先端部の表面は、断面円弧状の滑らかな凸曲面になっている。
【００４３】
ケース体１０１の内部には、左右一対の鎌部材案内溝１１２Ａ、１１２Ｂの後方に、これと同形同寸のもう一対の鎌部材案内溝１１３Ａ、１１３が形成されている。すなわち、この実施形態の錠装置１００の鎌部材案内溝は、前後二組の鎌部材案内溝１１２Ａ、１１２Ｂ及び鎌部材案内溝１１３Ａ、１１３からなる。
【００４４】
スライダ１２０のベース部１２１には、カム嵌合孔１２７が形成されている。このカム嵌合孔１２７にカム１７０のアーム部１７２が遊びを持って嵌合した状態で挿入されており、カム１７０の回動する向きに応じて、アーム部１７２がカム嵌合孔１２７の前端面１２７ａまたは後端面１２７ｂに係合するようになっている。
【００４５】
両ケース部材１０１Ａ、１０１Ｂの側壁には、カム１７０の両端を嵌入させてこれを回動可能に支持するカム保持孔１１７Ａ、１１７Ｂが側壁を貫通させて形成されている。カム本体１７１の両端中央部には、円形の凸部（図示省略）が形成されている。カム１７０はその左右の凸部をケース体１０１の左右の側壁のカム保持孔１１７Ａ、１１７Ｂに回動可能に嵌入することにより、ケース体１０１の左右の側壁に両端が支承された状態で回動可能に保持されている。
【００４６】
カム１７０の中心部には、操作軸２６５（図１参照）が挿入されるスリット状の挿入孔１５３が形成されており、この挿入孔１５３に操作軸２６５を挿入し固定することにより、カム１７０とサムターン２５０（図１参照）とが操作軸２６５を介して互いに連結されている。すなわち、サムターン２５０を回すことにより、その回動力が操作軸２６５を介してカム１７０に伝達され、サムターン２５０と同じ向きにカム１７０が回動するようになっている。そして、カム１７０の回動に連動して、スライダ１２０が施錠側（矢印Ａの向き）または解錠側（矢印Ｂの向き）に移動する仕組みになっている。
【００４７】
スライダ１２０のブラケット部１２２を構成する左右一対の起立壁１２２ａ、１２２ｂには、上下に延びる長孔構造の軸孔１２８が形成されている。摺動用ガイドピン１４７の両端部は、ブラケット部１２２の左右の軸孔１８８を貫通して、ケース体１０１の左右の鎌部材案内溝１１３Ａ、１１３Ｂに摺動可能に挿入されている。一方、係脱用ガイドピン１４５の両端部は、ケース体１０１内の左右に設けられた鎌部材案内溝１１２Ａ、１１２Ｂに摺動可能に挿入されている。
【００４８】
すなわち、この実施形態では、鎌部材１４０が、摺動用ガイドピン１４７を介して上下方向に移動可能にスライダ１２０に連結されるとともに、ケース体１０１の両側壁間に掛け渡して設けられた係脱用ガイドピン１４５及び摺動用ガイドピン１４７に支えられて、揺動せずに、水平な姿勢を保ったまま前後（矢印Ａの向き及び矢印Ｂの向き）及び上下に移動して受座金３１０と係脱するように構成されている。
【００４９】
上記構成によれば、錠装置１００が施錠状態の時、受座金３１０に係合した状態の鎌部材１４０の鎌部１４１側を、マイナスドライバなどの器具で強引に押し下げようとしても、鎌部材１４０を支持している係脱用ガイドピン１４５と摺動用ガイドピン１４７とがそれぞれ前後の鎌部材案内溝１１２Ａ、１１２Ｂ及び１１３Ａ、１１３Ｂの鎌部材承部１１２ｃで支承されているため、鎌部１４１が解錠側（下方）に移動することはなく、その力がスライダ１２０に伝達されることもない。したがって、このような不正な方法では、戸枠３００に対する鎌部材１４０の係止状態を解除することはできない。この錠装置１００を不正解錠することは極めて困難である。
［第３の実施形態］
図６は第３の実施形態の錠装置の分解斜視図である。図１〜図４に示した第１の実施形態と共通の構成要素については図５中に同一符号を付して、その説明を適宜省略する。
【００５０】
図６に示す錠装置１００は、施解錠操作の操作子としてサムターン２５０（図１参照）を使用せず、スライド操作子１７０を指をかけて左右（矢印Ａ、Ｂの向き）にスライドさせることにより、操作軸２６５を介してスライダ１２０を解施錠方向に摺動させる構造になっている。スライダ１２０には、操作軸固定部１２９が一体形成されている。操作軸固定部１２９には、縦長スリット状の貫通孔１２９ａが左右方向に貫通して形成されており、この貫通孔１２９ａを貫通させて操作軸２６５が取り付けられている。ケース体１０１の左右の側壁には横長矩形状の貫通孔１１８が形成されており、操作軸２６５の両端部が両貫通孔１１８内に左右（矢印Ａ、Ｂの向き）に移動可能に挿入されている。
【００５１】
この実施形態の錠装置１００は、その解施錠操作がスライド操作子１７０をスライド操作することによりなされる点を除いて、第１の実施形態の錠装置１００と全く同様に動作する。したがって、この実施形態の錠装置１００が解錠状態の時、受座金３１０（図１参照）に係合した状態の鎌部材１４０の鎌部１４１側を、マイナスドライバなどの器具で強引に押し下げようとしても、鎌部材１４０を支持している係脱用ガイドピン１４５が鎌部材案内溝１１２Ａ、１１２Ｂの鎌部材承部１１２ｃで支承されているため、鎌部１４１が解錠側（下方）に移動することはなく、その力がスライダ１２０に伝達されることもない。したがって、このような不正な方法では、戸枠３００に対する鎌部材１４０の係止状態を解除することはできない。
【００５２】
なお、上記実施形態では、弾性部材１６０をケース体１０１とは別体で構成したが、ケース体１０１を合成樹脂で形成し、弾性部材１６０をその合成樹脂製ケース体１０１の一部として一体成形してもよいことはいうまでもない。
【産業上の利用可能性】
【００５３】
本発明の錠装置は、固定枠と開閉体との間にマイナスドライバなどの器具を差し込んで固定枠に係合している鎌部材に力を加えることによる不正解錠を有効に防止できるので、引戸のみならず、開戸、折戸などの錠装置としても利用可能である。
【図面の簡単な説明】
【００５４】
【図１】本発明の錠装置の第１の実施形態の錠装置を備えた引戸装置の要部を示す分解斜視図
【図２】第１の実施形態の錠装置の分解斜視図
【図３】第１の実施形態の錠装置が解錠された状態を示す断面図
【図４】第１の実施形態の錠装置が解錠された状態を示す断面図
【図５】第２の実施形態の錠装置の分解斜視図
【図６】第３の実施形態の錠装置の分解斜視図
【図７】従来の錠装置の一例を示す断面図
【符号の説明】
【００５５】
１００  錠装置
１０１  ケース体
１１１Ａ、１１１Ｂ  スライダ案内溝（スライダ案内部）
１１２Ａ、１１２Ｂ  鎌部材案内溝（鎌部材案内部）
１１２ａ  水平案内部
１１２ｂ  傾斜案内部
１１２ｃ  鎌部材承部
１１３Ａ、１１３Ｂ  鎌部材案内溝（鎌部材案内溝）
１２０  スライダ
１２２  ブラケット部
１２３  ラック部
１２４  軸孔
１２７  カム嵌合孔
１２９  操作軸固定部
１４０  鎌部材
１４１  鎌部
１４５  係脱用ガイドピン
１４６  摺動用ガイドピン
１５０  回動部材
１５２  ピニオン部
１６０  弾性部材
１６２ａ、１６２ｂ  凹面部
１７０  カム
１７１  カム本体
１７２  アーム部
１８０  スライド操作子
２００  引戸（開閉体）
２５０  サムターン
２６５  操作軸
３００  戸枠（固定枠）
３１０  受座金（掛止部材）
【図１】
0004748715.tif 000002
【図２】
0004748715.tif 000003
【図３】
0004748715.tif 000004
【図４】
0004748715.tif 000005
【図５】
0004748715.tif 000006
【図６】
0004748715.tif 000007
【図７】
0004748715.tif 000008